(57)【特許請求の範囲】
【請求項１】
内部に電子部品を収容し、収納ラックに取り付け可能な電子機器であって、
前記電子部品を収容する筺体本体と、
該筺体本体から外部に露出しているケーブル接続部と、
該ケーブル接続部を覆い隠すためのサブカバーと、
を備え、
該サブカバーは、当該筺体本体を前記収納ラックに取り付けるために、分割して一対の固定用取付具としても使用され、
前記筺体本体は、右側壁部と左側壁部とを有し、
前記一対の固定用取付具は、前記右側壁部に取り付けられる右側固定用取付具と、前記左側壁部に取り付けられる左側固定用取付具とから成り、
前記筺体本体は、当該電子機器の前面上部に凹んだ部分を持つ形状をしており、
前記ケーブル接続部は、前記凹んだ部分で、前記筺体本体の前面上部の奥側で露出して設けられており、
前記サブカバーは、前記凹んだ部分に載置され、前記筺体本体から露出している前記ケーブル接続部を覆うように、当該電子機器の前面上部パネルと天井面前端とを形成する着脱自在な組立体から成り、
前記組立体は、右側サブカバー部と、左側サブカバー部と、前記右側サブカバー部と前記左側サブカバー部とを連結するサブカバー連結部品と、から構成され、
前記右側サブカバー部は、前記筺体本体の前記左側壁部の下部前方に取り付けられる、前記左側固定用取付具として使用され、
前記左側サブカバー部は、前記筺体本体の前記右側壁部の下部前方に取り付けられる、前記右側固定用取付具として使用され、
前記右側サブカバー部は、前記左側固定用取付具を、前記収納ラックへネジ止めするための複数個の左側ラック取付け用貫通穴を持ち、
前記左側サブカバー部は、前記右側固定用取付具を、前記収納ラックへネジ止めするための複数個の右側ラック取付け用貫通穴を持ち、
前記サブカバー連結部品は、前記複数個の右側ラック取付け用貫通穴および前記複数個の左側ラック取付け用貫通穴に挿入される複数個の突起を持つ、ことを特徴とする電子機器。
【請求項２】
前記右側サブカバー部は、右側前面部と、右側側面部と、右側上面部とから構成され、
前記左側サブカバー部は、左側前面部と、左側側面部と、左側上面部とから構成され、
前記右側上面部に、前記複数個の左側ラック取付け用貫通穴が穿設されており、
前記左側上面部に、前記複数個の右側ラック取付け用貫通穴が穿設されている、
請求項１に記載の電子機器。
【請求項３】
前記右側側面部は、前記左側固定用取付具を、複数本のビスで前記筺体本体の前記左側壁部の下部前方に取り付けるための複数個の左側取付具取付け孔を持ち、
前記左側側面部は、前記右側固定用取付具を、複数本のビスで前記筺体本体の前記右側壁部の下部前方に取り付けるための複数個の右側取付具取付け孔を持ち、
前記筺体本体の前記左側壁部の下部前方に、前記左側固定用取付具を、前記複数本のビスで取り付けるための複数個の左側筺体ネジ孔が穿設されており、
前記筺体本体の前記右側壁部の下部前方に、前記右側固定用取付具を、前記複数個のビスで取り付けるための複数個の右側筺体ネジ孔が穿設されている、
請求項２に記載の電子機器。
【請求項４】
請求項３に記載の電子機器を、複数個のラックネジ孔を持つ収納ラックに取り付けるラック取り付け方法であって、
前記筺体本体から前記サブカバーを取り外す工程と、
前記サブカバーを、前記右側サブカバー部と、前記左側サブカバー部と、前記サブカバー連結部品とに分割する工程と、
前記右側サブカバー部を、前方に９０度回転しつつ左側へ移動して、前記左側固定用取付具とする工程と、
前記左側サブカバー部を、前方に９０度回転しつつ右側へ移動して、前記右側固定用取付具とする工程と、
前記複数本のビスを、それぞれ、前記複数個の左側取付具取付け孔を挿通させた後に、前記複数個の左側筺体ネジ孔に螺合して、前記左側固定用取付具を前記筺体本体の前記左側壁部の下部前方に取り付ける工程と、
前記複数本のビスを、それぞれ、前記複数個の右側取付具取付け孔を挿通させた後に、前記複数個の右側筺体ネジ孔に螺合して、前記右側固定用取付具を前記筺体本体の前記右側壁部の下部前方に取り付ける工程と、
複数本のネジを、前記複数個の右側ラック取付け用貫通穴および前記複数個の左側ラック取付け用貫通穴を挿通させた後に、前記複数個のラックネジ孔に螺合して、前記筺体本体を前記収納ラックに取り付ける工程と、
を含むラック取り付け方法。
【発明の詳細な説明】
【技術分野】
【０００１】
本発明は、内部に電子部品を収容し、収納ラックに取り付け可能な電子機器およびそのラック取り付け方法に関する。
【背景技術】
【０００２】
電子機器として、内部に電子部品を収容し、収納ラック（ラック本体）に取り付けて使用されるものがある。そのような電子機器は、サブラック装置とも呼ばれる。そのような電子機器（サブラック装置）においては、当該電子機器（サブラック装置）の側板（側壁部）に添設される一対の固定用取付具（サブラック取付け板）を使用して、電子機器（サブラック装置）を収納ラック（ラック本体）に取り付ける必要がある。
【０００３】
このような電子機器（サブラック装置）が、従来から種々提案されている。
【０００４】
例えば、実開昭６０−０４５４９１号公報（特許文献１）は、ラックマウント部及び前面化粧パネルの破損事故を防止し、梱包費の削減を可能にした「電子機器筺体」を開示している。この特許文献１に開示された電子機器筺体は、内部に電子回路を収納したシェルフ本体を備え、輸送時はラックマウント金具をフック取付部が内側を向くように側板に固定し、使用時はラックマウント金具のフック取付部が互いに外向きになるように側板に固定している。
【０００５】
また、特開平０９−１６２５５８号公報（特許文献２）は、電子機器をラックに収納しない場合には、外装筺体からの突出量が少なくなるように格納することが可能な連結部材を備え、また連結部材及び締結部材の紛失が防止される「電子機器のラック取付機構」を開示している。この特許文献２において、オーディオ装置等の電子機器の外装筺体の両側面に、それぞれ、４つのネジ穴が穿設されている。略Ｌ字形に屈曲した連結部材は、屈曲位置を境として、一方にベース部が、他方に直立部が形成されている。ベース部及び直立部には、それぞれ挿通穴が穿設されている。電子機器をラックに収納して固定する場合には、連結部材は直立方向にされた状態で外装筺体に固定される。電子機器をラックに収納せずに卓上上に設置する場合には、連結部材の向きを格納方向に変えてネジによって締結固定することにより、連結部材を外装筺体から突出しないように格納することができる。
【０００６】
さらに、特開２００７−１１５３８４号公報（特許文献３）は、着脱部材またはフットを筺体から取り外して他の場所に保管しなくても、本体を机等に設置する場合に本体の左右に曲げ部が突出したままの状態とならず、また、本体を収納ラックに収納する場合にフットが邪魔になることを防止することができる「電子機器」を開示している。特許文献３において、電子機器であるオーディオ信号記録装置は着脱部材を備える。オーディオ信号記録装置を収納ラックに固定する場合には、着脱部材を筺体の左側面と右側面に固定し、着脱部材を介してオーディオ信号記録装置を収納ラックに固定している。オーディオ信号記録装置を机等に搭載する場合には、着脱部材の曲げ部を筺体の後面に固定することで、オーディオ信号記録装置を机に載置している。
【０００７】
さらにまた、特開２００３−００８２５８号公報（特許文献４）は、サブラック自体の運搬性及び実装作業性に優れた「サブラック装置」を開示している。特許文献４に開示されたサブラック装置は、電子部品等を収容すべく箱型に形成され、その側壁部に取付けたサブラック取付け板を介してラック本体側に実装可能に構成されている。サブラック装置の側壁部には、サブラック取付け板の長辺部を側壁部から突出しないように受入れる取付け凹部が形成されている。サブラック装置をラック本体から取り外した状態において、サブラック装置を持ち運び可能にする場合、サブラック取付け板を側壁部から取り外し、１８０度回転させて再びサブラック取付け板を側壁部に取付ける。
【先行技術文献】
【特許文献】
【０００８】
【特許文献１】実開昭６０−０４５４９１号公報
【特許文献２】特開平０９−１６２５５８号公報（図４、［００２２］〜［００２７］
【特許文献３】特開２００７−１１５３８４号公報（図１、図３、図４、図５）
【特許文献４】特開２００３−００８２５８号公報（図１〜図４）
【発明の概要】
【発明が解決しようとする課題】
【０００９】
上述した特許文献１〜３には、次に述べるような問題点がある。
【００１０】
特許文献１に開示された電子機器筺体では、輸送時において、シェルフ本体からラックマウント金具が突出してしまう。
【００１１】
特許文献２に開示された電子機器のラック取付機構においても、卓上等に設置する場合において、連結部材のベース部が外装筺体から突出してしまう。
【００１２】
特許文献３に開示された電子機器では、机に載置する場合に、着脱部材が電子機器の後面から突出してしまう。
【００１３】
一方、特許文献４に開示されたサブラック装置では、側壁部に取付け凹部が形成されているので、持ち運び時に、サブラック取付け板がサブラック装置から突出することはない。
【００１４】
しかしながら、特許文献４において、サブラック取付け板は、単に、サブラック装置の側壁部を覆っているに過ぎない。
【００１５】
一方、電子機器には、筺体本体からケーブル接続部が外部へ露出しているものがある。このような電子機器では、収納ラックへ取り付ける場合以外の状態では、ケーブル接続部をサブカバーで覆い隠す必要がある。
【００１６】
したがって、本発明の課題は、筺体本体から外部へ露出しているケーブル接続部を覆い隠すサブカバーを備えた電子機器において、収納ラックへ取り付けるための専用の取付部品を不要にできる、電子機器およびそのラック取り付け方法を提供することにある。
【課題を解決するための手段】
【００１７】
本発明による電子機器は、内部に電子部品を収容し、収納ラックに取り付け可能な電子機器であって、電子部品を収容する筺体本体と、この筺体本体から外部に露出しているケーブル接続部と、このケーブル接続部を覆い隠すためのサブカバーと、を備え、サブカバーは、当該筺体本体を収納ラックに取り付けるために、分割して一対の固定用取付具としても使用される。
【００１８】
また、本発明によるラック取り付け方法は、上記電子機器を収納ラックに取り付けるラック取り付け方法であって、筺体本体からサブカバーを取り外す工程と、サブカバーを分割して、一対の固定用取付具とする工程と、一対の固定用取付具を筺体本体の両側壁部に取り付ける工程と、筺体本体を収納ラックに取り付ける工程と、を含む。
【発明の効果】
【００１９】
本発明によれば、サブカバーを分割して一対の固定用取付具として使用できるので、収納ラックへ取り付けるための専用の取付部品を不要にできる。
【図面の簡単な説明】
【００２０】
【図１】本発明の第１の実施形態に係る電子機器を示す斜視図である。
【図２】図１に示した電子機器を、収納ラックに取り付け可能な状態にする工程を示す組み立て斜視図である。
【図３】図２に示した電子機器を、収納ラックへ取り付ける状態を示す斜視図である。
【図４】本発明の第２の実施形態に係る電子機器を示す斜視図である。
【図５】図４に示した電子機器を、収納ラックに取り付け可能な状態にする工程を示す組み立て斜視図である。
【発明を実施するための形態】
【００２１】
次に、発明を実施するための形態について、図面を参照して詳細に説明する。
【００２２】
（第１の実施形態）
図１乃至図３を参照して、本発明の第１の実施形態に係る電子機器１０について説明する。図１は電子機器１０を示す斜視図である。図２は、図１に示した電子機器１０を、収納ラックに取り付け可能な状態にする工程を示す組み立て斜視図である。図３は、図２に示した電子機器１０を、収納ラック２０へ取り付ける状態を示す斜視図である。
【００２３】
ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。
【００２４】
図示の電子機器１０は、内部に電子部品を収容し、収納ラック２０に取り付け可能な電子機器である。
【００２５】
図１に示されるように、電子機器１０は、箱型（直方体）の形状をしている。
【００２６】
電子機器１０は、電子部品を収容する筺体本体１２と、この筺体本体１２から外部に露出しているケーブル接続部１４と、このケーブル接続部１４を覆い隠すためのサブカバー３０とを備える。
【００２７】
図示の例では、収納ラック２０は、１９インチラックから成る。電気機器１０の幅は、１９インチ幅より狭い。また、ケーブル接続部１４は、コネクタや端子台から成る。
【００２８】
図２（ｄ）に示されるように、サブカバー３０は、筺体本体１２を収納ラック２０に取り付けるために、分割して一対の固定用取付具３２、３４としても使用される。
【００２９】
詳述すると、筺体本体１２は、右側壁部１２２と左側壁部１２４とを有する。一対の固定用取付具は、筺体本体１２の右側壁部１２２に取り付けられる右側固定用取付具３２と、筺体本体１２の左側壁部１２４に取り付けられる左側固定用取付具３４とから成る。
【００３０】
図２（ａ）に示されるように、筺体本体１２は、当該電子機器１０の前面上部に直方体状の凹んだ部分１２ａを持つ形状をしている。ケーブル接続部１４は、この凹んだ部分１２ａで、筺体本体１２の前面上部の奥側に露出して設けられている。
【００３１】
サブカバー３０は、凹んだ部分１２ａに載置される。したがって、サブカバー３０も、直方体の形状をしている。サブカバー３０は、筺体本体１２から露出しているケーブル接続部１４を覆うように、当該電子機器１０の前面上部パネルと天井面前端とを形成する着脱自在な組立体から成る。
【００３２】
組立体（サブカバー）３０は、右側サブカバー部３４と、左側サブカバー部３２と、右側サブカバー部３４と左側サブカバー部３２とを連結するサブカバー連結部品３６と、から構成される。
【００３３】
右側サブカバー部３４は、筺体本体１２の左側壁部１２４の下部前方に取り付けられる、左側固定用取付具として使用される。左側サブカバー部３２は、筺体本体１２の右側壁部１２２の下部前方に取り付けられる、右側固定用取付具として使用される。
【００３４】
図２（ｂ）に示されるように、右側サブカバー部３４は、左側固定用取付具３４を、収納ラック２０（図３）へネジ止めするための２個の左側ラック取付け用貫通穴３４６ａを持つ。同様に、左側サブカバー部３２も、右側固定用取付具３２を、収納ラック２０へネジ止めするための２個の右側ラック取付け用貫通穴３２６ａを持つ。サブカバー連結部品３６は、２個の右側ラック取付け用貫通穴３４６ａおよび２個の左側ラック取付け用貫通穴３２６ａに挿入される４個の突起３６ａを持つ。
【００３５】
右側サブカバー部３４は、右側前面部３４２と、右側側面部３４４と、右側上面部３４６とから構成される。同様に、左側サブカバー部３２は、左側前面部３２２と、左側側面部３２４と、左側上面部３２６とから構成される。右側上面部３４６に、２個の左側ラック取付け用貫通穴３４６ａが穿設されており、左側上面部３２６に、２個の右側ラック取付け用貫通穴３２６ａが穿設されている。
【００３６】
右側サブカバー部３４の右側側面部３４４は、左側固定用取付具３４を、２本のビス（図示せず）で筺体本体１２の左側壁部１２４の下部前方に取り付けるための２個の左側取付具取付け孔３４４ａを持つ。同様に、左側サブカバー部３２の左側側面部３２４は、右側固定用取付具３２を、２本のビス（図示せず）で筺体本体１２の右側壁部１２２の下部前方に取り付けるための２個の右側取付具取付け孔（図示せず）を持つ。
【００３７】
図１に示されるように、筺体本体１２の右側壁部１２２の下部前方に、右側固定用取付具３２を、上記２個のビスで取り付けるための２個の右側筺体ネジ孔１２２ａが穿設されている。同様に、筺体本体１２の左側壁部１２４の下部前方に、左側固定用取付具３４を、上記２本のビスで取り付けるための２個の左側筺体ネジ孔（図示せず）が穿設されている。
【００３８】
次に、図２及び図３を参照して、図１に示した電子機器１０を、複数個のラックネジ孔２０ａを持つ収納ラック２０に取り付けるラック取り付け方法について説明する。
【００３９】
先ず、図２（ａ）に示されるように、筺体本体１２からサブカバー３０を取り外す。
【００４０】
引き続いて、図２（ｂ）に示されるように、サブカバー３０を、右側サブカバー部３４と、左側サブカバー部３２と、サブカバー連結部品３６とに分割する。
【００４１】
次に、図２（ｃ）に示されるように、右側サブカバー部３４を、前方に９０度回転しつつ左側へ移動して、左側固定用取付具とすると共に、左側サブカバー部３２を、前方に９０度回転しつつ右側へ移動して、右側固定用取付具とする。
【００４２】
そして、図２（ｄ）に示されるように、２本のビス（図示せず）を、それぞれ、２個の左側取付具取付け孔３４４ａを挿通させた後に、２個の左側筺体ネジ孔（図示せず）に螺合して、左側固定用取付具３４を筺体本体１２の左側壁部１２４の下部前方に取り付けると共に、２本のビス（図示せず）を、それぞれ、２個の右側取付具取付け孔（図示せず）を挿通させた後に、２個の右側筺体ネジ孔１２２ａに螺合して、右側固定用取付具３２を筺体本体１２の右側壁部１２２の下部前方に取り付ける。
【００４３】
最後に、図３に示されるように、４本のネジ（図示せず）を、２個の右側ラック取付け用貫通穴３２６ａおよび２個の左側ラック取付け用貫通穴３４６ａを挿通させた後に、４個のラックネジ孔２０ａに螺合して、筺体本体１２を収納ラック２０に取り付ける。
【００４４】
以上説明した本発明の第１の実施の形態においては、以下に記載するような効果を奏する。
【００４５】
電子機器１０を収納ラック２０へ取り付けるための専用の取付部品を不要にできることである。その理由は、サブカバー３０を分割して一対の固定用取付具３２、３４として使用しているからある。
【００４６】
（第２の実施形態）
図４及び図５を参照して、本発明の第２の実施形態に係る電子機器１０Ａについて説明する。図４は電子機器１０Ａの斜視図である。図５は、図４に示した電子機器１０Ａを、収納ラックに取り付け可能な状態にする工程を示す組み立て斜視図である。
【００４７】
図示の電子機器１０Ａは、サブカバーの構成が後述するように相違する点を除いて、図１及び図２に示した電子機器１０と同様の構成を有する。従って、サブカバーに３０Ａの参照符号を付してある。また、図１及び図２に示したものと同様の構成要素には同一の参照符号を付し、以下では説明の簡略化の為に異なる点についてのみ説明する。
【００４８】
ここでも、図４及び図５に示されるように、直交座標系（Ｘ，Ｙ，Ｚ）を使用している。図４及び図５に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。
【００４９】
図示の電子機器１０Ａは、図１及び図２に示した電子機器１０の幅より少し大きい幅を持つ。
【００５０】
図５（ｄ）に示されるように、サブカバー３０Ａは、筺体本体１２を収納ラック２０（図３参照）に取り付けるために、分割して一対の固定用取付具３２Ａ、３４Ａとしても使用される。
【００５１】
詳述すると、前述したように、筺体本体１２は、右側壁部１２２と左側壁部１２４とを有する。一対の固定用取付具は、筺体本体１２の右側壁部１２２に取り付けられる右側固定用取付具３２Ａと、筺体本体１２の左側壁部１２４に取り付けられる左側固定用取付具３４Ａとから成る。
【００５２】
図５（ａ）に示されるように、筺体本体１２は、当該電子機器１０の前面上部に直方体状の凹んだ部分１２ａを持つ形状をしている。ケーブル接続部１４は、この凹んだ部分１２ａで、筺体本体１２の前面上部の奥側に露出して設けられている。
【００５３】
サブカバー３０Ａは、凹んだ部分１２ａに載置される。したがって、サブカバー３０Ａも、直方体の形状をしている。サブカバー３０Ａは、筺体本体１２から露出しているケーブル接続部１４を覆うように、当該電子機器１０Ａの前面上部パネルと天井面前端とを形成する着脱自在な組立体から成る。
【００５４】
組立体（サブカバー）３０Ａは、右側サブカバー部３４Ａと、左側サブカバー部３２Ａと、右側サブカバー部３４Ａと左側サブカバー部３２Ａとを連結するサブカバー連結部品３６Ａと、から構成される。
【００５５】
サブカバー連結部品３６Ａは、図１及び図２に示したサブカバー連結部品３６の幅よりも長い幅を持つ。その結果、右側サブカバー部３４Ａおよび左側サブカバー部３２Ａは、図１及び図２に示した右側サブカバー部３４および左側サブカバー部３２よりも短い幅を持つ。
【００５６】
右側サブカバー部３４Ａは、筺体本体１２の左側壁部１２４の下部前方に取り付けられる、左側固定用取付具として使用される。左側サブカバー部３２Ａは、筺体本体１２の右側壁部１２２の下部前方に取り付けられる、右側固定用取付具として使用される。
【００５７】
図５（ｂ）に示されるように、右側サブカバー部３４Ａは、左側固定用取付具３４Ａを、収納ラック２０（図３）へネジ止めするための２個の左側ラック取付け用貫通穴３４６ａを持つ。同様に、左側サブカバー部３２Ａも、右側固定用取付具３２Ａを、収納ラック２０へネジ止めするための２個の右側ラック取付け用貫通穴３２６ａを持つ。サブカバー連結部品３６Ａは、２個の右側ラック取付け用貫通穴３４６ａおよび２個の左側ラック取付け用貫通穴３２６ａに挿入される４個の突起３６ａを持つ。
【００５８】
右側サブカバー部３４Ａは、右側前面部３４２Ａと、右側側面部３４４と、右側上面部３４６Ａとから構成される。同様に、左側サブカバー部３２Ａは、左側前面部３２２Ａと、左側側面部３２４と、左側上面部３２６Ａとから構成される。右側上面部３４６Ａに、２個の左側ラック取付け用貫通穴３４６ａが穿設されており、左側上面部３２６Ａに、２個の右側ラック取付け用貫通穴３２６ａが穿設されている。
【００５９】
右側サブカバー部３４Ａの右側側面部３４４は、左側固定用取付具３４Ａを、２本のビス（図示せず）で筺体本体１２の左側壁部１２４の下部前方に取り付けるための２個の左側取付具取付け孔３４４ａを持つ。同様に、左側サブカバー部３２Ａの左側側面部３２４は、右側固定用取付具３２Ａを、２本のビス（図示せず）で筺体本体１２の右側壁部１２２の下部前方に取り付けるための２個の右側取付具取付け孔（図示せず）を持つ。
【００６０】
図４に示されるように、筺体本体１２の右側壁部１２２の下部前方に、右側固定用取付具３２Ａを、上記２個のビスで取り付けるための２個の右側筺体ネジ孔１２２ａが穿設されている。同様に、筺体本体１２の左側壁部１２４の下部前方に、左側固定用取付具３４Ａを、上記２本のビスで取り付けるための２個の左側筺体ネジ孔（図示せず）が穿設されている。
【００６１】
次に、図５及び図３を参照して、図４に示した電子機器１０Ａを、複数個のラックネジ孔２０ａを持つ収納ラック２０に取り付けるラック取り付け方法について説明する。
【００６２】
先ず、図５（ａ）に示されるように、筺体本体１２からサブカバー３０Ａを取り外す。
【００６３】
引き続いて、図５（ｂ）に示されるように、サブカバー３０Ａを、右側サブカバー部３４Ａと、左側サブカバー部３２Ａと、サブカバー連結部品３６Ａとに分割する。
【００６４】
次に、図５（ｃ）に示されるように、右側サブカバー部３４Ａを、前方に９０度回転しつつ左側へ移動して、左側固定用取付具とすると共に、左側サブカバー部３２Ａを、前方に９０度回転しつつ右側へ移動して、右側固定用取付具とする。
【００６５】
そして、図５（ｄ）に示されるように、２本のビス（図示せず）を、それぞれ、２個の左側取付具取付け孔３４４ａを挿通させた後に、２個の左側筺体ネジ孔（図示せず）に螺合して、左側固定用取付具３４Ａを筺体本体１２の左側壁部１２４の下部前方に取り付けると共に、２本のビス（図示せず）を、それぞれ、２個の右側取付具取付け孔（図示せず）を挿通させた後に、２個の右側筺体ネジ孔１２２ａに螺合して、右側固定用取付具３２Ａを筺体本体１２の右側壁部１２２の下部前方に取り付ける。
【００６６】
最後に、図３に示されるように、４本のネジ（図示せず）を、２個の右側ラック取付け用貫通穴３２６ａおよび２個の左側ラック取付け用貫通穴３４６ａを挿通させた後に、４個のラックネジ孔２０ａに螺合して、筺体本体１２を収納ラック２０に取り付ける。
【００６７】
以上説明した本発明の第２の実施の形態においては、以下に記載するような効果を奏する。
【００６８】
電子機器１０Ａを収納ラック２０へ取り付けるための専用の取付部品を不要にできることである。その理由は、サブカバー３０Ａを分割して一対の固定用取付具３２Ａ、３４Ａとして使用しているからある。
【００６９】
以上、実施の形態を参照して本発明を説明したが、本発明は上記実施の形態に限定されるものではない。本発明の構成や詳細は、本発明のスコープ内で当業者が理解し得る様々な変更をすることができる。
【００７０】
例えば、上記実施の形態では、左側ラック取付け用貫通穴３４６ａ、右側ラック取付け貫通穴３２６ａ、左側取付具取付け孔３４４ａ、右側取付具取付け孔、左側筺体ネジ孔、および右側筺体ネジ孔１２２ａの各々の個数が２個であるが、複数個であってよい。また、上記実施の形態では、一対の固定用取付具の筺体本体の側壁部への取付けをビスを使用して行っているが、例えば、接着剤などの他の締結部材を使用して行ってもよい。さらに、上記実施の形態では、筺体本体の収納ラックへの取付けをネジを使用して行っているが、例えば、接着剤などの他の締結部材や取付部材を使用して行ってもよい。
【符号の説明】
【００７１】
１０、１０Ａ    電子機器
１２    筺体本体
１２ａ    凹んだ部分
１２２    右側壁部
１２２ａ    右側筺体ネジ孔
１２４    左側壁部
１４    ケーブル接続部
２０    収納ラック
２０ａ    ラックネジ孔
３０、３０Ａ    サブカバー
３２、３２Ａ    左側サブカバー部（右側固定用取付具）
３２２、３２２Ａ    左側前面部
３２４    左側側面部
３２６、３２６Ａ    左側上面部
３２６ａ  右側ラック取付け用貫通穴
３４、３４Ａ    右側サブカバー部（左側固定用取付具）
３４２、３４２Ａ    右側前面部
３４４    右側側面部
３４４ａ    左側取付具取付け孔
３４６、３４６Ａ    右側上面部
３４６ａ    左側ラック取付け用貫通穴
３６、３６Ａ    サブカバー連結部品
３６ａ    突起
【図１】
0005621081.tif 000002
【図２】
0005621081.tif 000003
【図３】
0005621081.tif 000004
【図４】
0005621081.tif 000005
【図５】
0005621081.tif 000006